(57)【要約】【課題】粒子移動型表示装置における表示切替時間を大幅に短縮できる駆動方法、駆動装置、表示装置、および電子機器を提供すること。【解決手段】時計の表示パネルの駆動装置による駆動において、中間色駆動工程を備えることにより、この中間色駆動時、表示パネルでは、飽和していない中間状態での表示色の差に基づいて表示切替が行われる。このように中間色駆動を行うことで、特に、連続して書換え動作が必要となる場合など、書換えの頻度が高い場合に表示切替時間の大幅な短縮を図ることができ、また、常に飽和駆動を行う場合よりも低消費電力にもできる。【選択図】図８
2008209893.tif 000002
【特許請求の範囲】
【請求項１】
電界印加により帯電粒子を移動させて表示を行う表示装置の駆動方法であって、
前記粒子を当該粒子の移動が飽和した飽和状態以外の中間状態にさせる中間色駆動工程を備え、
前記中間色駆動工程では、前記粒子を表示色の差が生じるように移動させることにより、表示の切替えを行う
ことを特徴とする駆動方法。
【請求項２】
請求項１に記載の表示装置の駆動方法において、
前記粒子を前記飽和状態にさせる飽和駆動工程を備え、
前記中間色駆動工程の後に前記飽和駆動工程を行うことにより、前記中間状態の前記粒子を前記飽和状態にさせる
ことを特徴とする駆動方法。
【請求項３】
請求項１または２に記載の表示装置の駆動方法において、
前記中間色駆動工程および前記飽和駆動工程の少なくとも一方では、互いに異なる第１電位と第２電位との間で変化するパルスを一方の電極に印加し、かつ、表示色に応じて前記第１電位および前記第２電位のいずれかを他方の電極に印加する
ことを特徴とする駆動方法。
【請求項４】
請求項２または３に記載の表示装置の駆動方法において、
前記飽和駆動工程における一の表示書換処理中の表示切替要求により、次の表示書換処理を開始する
ことを特徴とする駆動方法。
【請求項５】
請求項１から４のいずれかに記載の表示装置の駆動方法において、
表示切替要求を発生させる操作部材による操作が所定時間保持されることにより、前記中間色駆動工程を開始する
ことを特徴とする駆動方法。
【請求項６】
請求項２から５のいずれかに記載の表示装置の駆動方法において、
前記中間色駆動工程における一の表示書換処理の間、表示切替要求を発生させる操作部材による操作が保持されていた際には、前記中間色駆動工程による表示書換処理を続行し、
前記中間色駆動工程における一の表示書換処理中に前記操作部材による操作が解除された際には、前記中間色駆動工程から前記飽和駆動工程に移行する
ことを特徴とする駆動方法。
【請求項７】
請求項２から６のいずれかに記載の表示装置の駆動方法において、
表示切替要求を発生させる操作部材による操作が当該操作部材による一つ前の操作時から前記飽和駆動工程の一の表示書換処理に要する飽和時間よりも短い時間間隔で行われた際に、処理中の表示書換処理を中断して前記中間色駆動工程による表示書換処理を行う
ことを特徴とする駆動方法。
【請求項８】
請求項２から６のいずれかに記載の表示装置の駆動方法において、
表示切替要求を発生させる操作部材による操作が前記飽和駆動工程の一の表示書換処理に要する飽和時間よりも短い時間間隔で繰り返し行われた場合には、前記操作部材の操作回数に基づく数だけ順次、前記中間色駆動工程による表示書換処理を行う
ことを特徴とする駆動方法。
【請求項９】
請求項２から８のいずれかに記載の表示装置の駆動方法において、
所定時または所定条件成立時に前記中間色駆動工程を開始し、
その後の所定時または所定条件成立時に前記中間色駆動工程から前記飽和駆動工程に移行する
ことを特徴とする駆動方法。
【請求項１０】
請求項２から９のいずれかに記載の表示装置の駆動方法において、
駆動時の温度に応じて、前記中間色駆動工程における電界印加時間、および前記飽和駆動工程における電界印加時間の少なくとも一方を増減させる
ことを特徴とする駆動方法。
【請求項１１】
電界印加により帯電粒子を移動させて表示を行う表示装置の駆動装置であって、
前記粒子を表示色の差が生じるように移動させることにより、この粒子を当該粒子の移動が飽和した飽和状態以外の中間状態にさせる中間色駆動部を備える
ことを特徴とする駆動装置。
【請求項１２】
請求項１１に記載の表示装置の駆動装置において、
前記粒子を前記飽和状態にさせる飽和駆動部を備え、
前記飽和駆動部は、前記中間色駆動部による表示書換処理の後に表示書換処理を行って前記中間状態の前記粒子を前記飽和状態にさせる
ことを特徴とする駆動装置。
【請求項１３】
請求項１１または１２に記載の表示装置の駆動装置において、
電源と、
前記電源から互いに異なる２つの電位のうちの第１電位を生成する第１電位生成部と、
前記電源から前記２つの電位のうちの第２電位を生成する第２電位生成部と、
前記２つの電位間で変化するパルスを生成するパルス生成部とを備える
ことを特徴とする駆動装置。
【請求項１４】
請求項１２または１３に記載の表示装置の駆動装置において、
前記飽和駆動部による一の表示書換処理中に、表示切替要求を前記中間色駆動部および前記飽和駆動部のいずれかに送信する表示切替要求発生部を備える
ことを特徴とする駆動装置。
【請求項１５】
請求項１１から１４のいずれかに記載の表示装置の駆動装置において、
表示切替要求を発生させる操作部材による操作状態を検出する操作検出部を備え、
前記中間色駆動部は、前記操作部材による操作が所定時間保持されたことが前記操作検出部により検出された際に、表示書換処理を開始する
ことを特徴とする駆動装置。
【請求項１６】
請求項１２から１５のいずれかに記載の表示装置の駆動装置において、
表示切替要求を発生させる操作部材による操作状態を検出する操作検出部を備え、
前記中間色駆動部は、前記操作部材による操作が所定時間保持されたことが前記操作検出部により検出された際に、表示書換処理を行い、かつ一の表示書換処理の間、前記操作部材による操作が保持されていた際には、表示書換処理を続行し、
前記飽和駆動部は、前記中間色駆動部による一の表示書換処理中に前記操作部材による操作が解除された際に表示書換処理を行う
ことを特徴とする表示装置の駆動装置。
【請求項１７】
請求項１２から１６のいずれかに記載の表示装置の駆動装置において、
表示切替要求を発生させる操作部材による操作状態を検出する操作検出部を備え、
前記中間色駆動部は、前記操作部材による操作が当該操作部材による一つ前の操作時から前記飽和駆動部の一の表示書換処理に要する飽和時間よりも短い時間間隔で行われたことが前記操作検出部により検出された際に、処理中の表示書換処理を中断して表示書換処理を行う
ことを特徴とする駆動装置。
【請求項１８】
請求項１２から１６のいずれかに記載の表示装置の駆動装置において、
表示切替要求を発生させる操作部材による操作状態を検出する操作検出部と、前記操作部材による操作が前記飽和駆動部の一の表示書換処理に要する飽和時間よりも短い時間間隔で繰り返し行われたことが前記操作検出部により検出された際に繰り返し回数を記憶する操作回数記憶部とを備え、
前記中間色駆動部は、前記操作回数記憶部が記憶した操作回数に基づく数だけ順次、表示書換処理を行い、
前記操作回数記憶部は、前記中間色駆動部による前記操作回数に基づく数の表示書換処理後に、記憶した操作回数をリセットする
ことを特徴とする駆動装置。
【請求項１９】
請求項１から請求項１０のいずれかに記載の表示装置の駆動方法、または請求項１１から請求項１８のいずれかに記載の表示装置の駆動装置によって駆動される
ことを特徴とする表示装置。
【請求項２０】
請求項１９に記載の表示装置は、電気泳動表示デバイスである
ことを特徴とする表示装置。
【請求項２１】
請求項１１から請求項１８のいずれかに記載の表示装置の駆動装置を備える
ことを特徴とする電子機器。
【発明の詳細な説明】
【技術分野】
【０００１】
本発明は、粒子移動型の表示装置に関し、その駆動方法、駆動装置、表示装置、および電子機器に関する。
【背景技術】
【０００２】
近年、電気泳動表示デバイス（特許文献１）をはじめとする粒子移動型の各種の表示装置が開発されている。ここで、電気泳動表示デバイスは、電界印加により帯電粒子（顔料等）を泳動させるものであって、視認方向表側に近接した粒子の色や、粒子が分散する溶液の色などに応じて表示色が決まる。このような粒子移動型の表示装置において、従来は、粒子の泳動が完了して飽和状態となるまで粒子を移動させることにより、表示を行っていた。電気泳動表示デバイスの例では、表示書換えの要求が生じて描画処理を行い飽和状態となるまで、２秒程度の時間を要していた。
【０００３】
【特許文献１】特開２００６−２６７９８２号公報
【特許文献２】特開平８−６８８７５号公報
【発明の開示】
【発明が解決しようとする課題】
【０００４】
上述のように、電気泳動表示デバイスをはじめとする粒子移動型表示装置の従来の駆動では、飽和駆動を行うことで描画に時間が掛かり、表示が切り替わる際に緩慢な印象を与えてしまうことが課題であった。例えば初期設定時には、時刻合わせ、ワールドタイム地域設定、タイマー設定、１２時間／２４時間表示などの時刻表示形式の選択、インデックス表示の模様・太さ選択等、各種の設定があるが、このような設定を行う際は、表示切替の頻度が非常に高く、ユーザーは表示切替が完了して次の操作が可能となるまで待たなければならない。
なお、参考まで、液晶パネルの駆動の場合では（特許文献２）、表示切替に要する時間は数１０ｍ秒と、反応速度が速いため、各種項目の設定変更などを迅速に行うことが可能である。また、時刻表示に関しては、毎秒表示切替が必要となる秒の表示もでき、操作ボタンを押し続けることによって時刻の早送り修正も可能である。
しかしながら、粒子移動型表示装置では、粒子を移動させるという構造上、反応速度が遅く、液晶パネルと同等の反応速度は望めないため、迅速な表示切替が不可能であった。
【０００５】
そこで、本発明の目的は、粒子移動型表示装置における表示切替時間を大幅に短縮できる表示装置の駆動方法、表示装置の駆動装置、表示装置、および電子機器を提供することにある。
【課題を解決するための手段】
【０００６】
本発明の表示装置の駆動方法は、電界印加により帯電粒子を移動させて表示を行う表示装置の駆動方法であって、前記粒子を当該粒子の移動が飽和した飽和状態以外の中間状態にさせる中間色駆動工程を備え、前記中間色駆動工程では、前記粒子を表示色の差が生じるように移動させることにより、表示の切替えを行うことを特徴とする。
【０００７】
また、本発明の表示装置の駆動装置は、電界印加により帯電粒子を移動させて表示を行う表示装置の駆動装置であって、前記粒子を表示色の差が生じるように移動させることにより、この粒子を当該粒子の移動が飽和した飽和状態以外の中間状態にさせる中間色駆動部を備えることを特徴とする。
【０００８】
これらの発明によれば、中間色駆動時、中間状態での表示色の差に基づいて表示切替が行われる。ここで、飽和状態の色（飽和色）から中間色への表示切替、または中間色から他の階調の中間色への表示切替は、飽和色から飽和色への表示切替の場合よりも電界印加時間が短くて済み、かつ、ある中間色から、これと判別可能な他の階調の中間色へと表示を切替えることで表示切替前後の表示それぞれを観察することが可能となる。
これにより、従来の飽和駆動による表示切替の場合と比較して大幅に表示切替時間を短縮でき、また、常に飽和駆動を行う場合よりも低消費電力にもなる。特に、時刻修正を行う場合や、リスト表示あるいは多数の選択肢がある中から項目を選択して設定を行う場合のように連続して表示切替が必要となったり、初期設定時など、表示書換えの頻度が高い場合にこれらの効果を大きくできる。
【０００９】
ここで、秒を表示したり、秒以外でも毎秒表示を切り替える必要のある情報を表示するような場合で、飽和状態とするのに必要な飽和駆動時間が１秒よりも長い場合でも、本発明の特徴とする中間色駆動によって、秒表示や、毎秒切り替えられる表示を行うことが可能となる。秒表示は時計の基本性能であるから、本発明は時計に適用されることで、その効果が際立つ。
なお、「粒子移動型表示装置」は、帯電トナー型表示装置や電子粉流体表示装置などの粉体移動方式表示デバイスと、電気泳動表示デバイスとを含む。
【００１０】
本発明の表示装置の駆動方法では、前記粒子を前記飽和状態にさせる飽和駆動工程を備え、前記中間色駆動工程の後に前記飽和駆動工程を行うことにより、前記中間状態の前記粒子を前記飽和状態にさせることが好ましい。
【００１１】
また、本発明の表示装置の駆動装置では、前記粒子を前記飽和状態にさせる飽和駆動部を備え、前記飽和駆動部は、前記中間色駆動部による表示書換処理の後に表示書換処理を行って前記中間状態の前記粒子を前記飽和状態にさせることが好ましい。
【００１２】
ここで、中間色駆動における電界印加時間を飽和駆動における電界印加時間に対して制限することにより、粒子の移動距離が変わるので、中間色駆動と、飽和駆動とをそれぞれ実現できる。
これらの発明によれば、中間色駆動により表示色が切替えられた中間状態の表示が、飽和駆動により飽和状態とされて反射率が最大となる。これにより、表示切替を短時間で行いつつ、表示切替が完了して表示状態を維持する際の視認性をより高くできる。
【００１３】
本発明の表示装置の駆動方法では、前記中間色駆動工程および前記飽和駆動工程の少なくとも一方では、互いに異なる第１電位と第２電位との間で変化するパルスを一方の電極に印加し、かつ、表示色に応じて前記第１電位および前記第２電位のいずれかを他方の電極に印加することが好ましい。
ここで、対向する電極間で、これら電極間にある帯電粒子を移動させる方式の電気泳動表示デバイスを駆動する場合では、前記「一方の電極」および前記「他方の電極」はそれぞれ、「対向する一方の電極」および「対向する他方の電極」に相当する。
【００１４】
また、本発明の表示装置の駆動装置では、電源と、前記電源から互いに異なる２つの電位のうちの第１電位を生成する第１電位生成部と、前記電源から前記２つの電位のうちの第２電位を生成する第２電位生成部と、前記２つの電位間で変化するパルスを生成するパルス生成部とを備えることが好ましい。
【００１５】
これらの発明によれば、パルスを一方の電極に印加し、このパルスが第１電位の際には、この一方の電極と第２電位が印加された他方の電極との間に所定方向の電界が生じ、逆に、このパルスが第２電位の際には、この一方の電極と第１電位が印加された他方の電極
との間に反対方向の電界が生じる。このため、一方の色から他方の色へと、また他方の色から一方の色へと、双方向の表示切替が時分割により並行して行われる。このように各方向における表示切替を時分割で行うことにより、一電源（片電源）でも、双方向への表示切替があたかも同時に行われるような自然な表示が可能となる。
なお、他方の電極に、一方の電極に印加するパルスと同位相かつ同電位の信号（パルス）を印加した際には、これら電極間に電圧勾配が生じないため、表示色は保持される。
ここで、仮に二電源（両電源）を備え、一方の電極に０Ｖを印加し他方の電極には表示色に応じて正電位および負電位のいずれかを印加する構成とすれば、双方向の表示切替を同時に行うことが可能となるが、昇圧回路などが二系統必要となることで回路構成が大型化してしまう。このため、時計などの小型機器においては特に、一電源（片電源）とした方が有利な構成となる。また、昇圧回路などが大型化しないことにより、低消費電力化できる。さらに、電位をスイッチするトランジスタ等の耐圧も従来例の半分程度で済む。このような利点がある一方、片電源では表示切替の時間は長くなる。
以上より、片電源とされ表示切替時間を長く要する本発明においてこそ、前述した表示切替時間の短縮化の効果を際立たせることができる。
【００１６】
本発明の表示装置の駆動方法では、前記飽和駆動工程における一の表示書換処理中の表示切替要求により、次の表示書換処理を開始することが好ましい。
【００１７】
また本発明の表示装置の駆動装置では、前記飽和駆動部による一の表示書換処理中に、表示切替要求を前記中間色駆動部および前記飽和駆動部のいずれかに送信する表示切替要求発生部を備えることが好ましい。
【００１８】
これらの発明によれば、表示切替要求が発生した際、飽和状態となるまで待たずに、飽和状態となる前の中間状態から次の表示書換処理を行うことにより、表示切替の所要時間をより短縮できる。
ここで、例えば操作ボタンを連打した場合など、表示切替開始と表示切替終了とが連続的に生じる場合にその効果を大きくできる。
ここで、一の表示書換処理とは、表示の書換（再描画）を行うために必要となる駆動信号を表示体に入力する処理をいう。表示書換を繰り返す場合には、複数の表示書換処理が順次行われる。なお、表示体によっては、一の表示書換処理に複数の駆動信号が必要となる。このような表示書換処理は、例えば操作ボタンが押されて画面表示が切り替わる際や、タイマー使用中において表示時間をカウントダウンする際など、表示切替要求が発生する毎に行われる。
【００１９】
本発明の表示装置の駆動方法では、表示切替要求を発生させる操作部材による操作が所定時間保持されることにより、前記中間色駆動工程を開始することが好ましい。
また、本発明の表示装置の駆動装置では、表示切替要求を発生させる操作部材による操作状態を検出する操作検出部を備え、前記中間色駆動部は、前記操作部材による操作が所定時間保持されたことが前記操作検出部により検出された際に、表示書換処理を開始することが好ましい。
【００２０】
これらの発明によれば、操作部材の保持操作の時間をカウントして、所定時間、保持操作が継続された際にユーザーが連続して項目選択や時刻修正などを行いたいものと判断して中間色駆動を開始するので、ユーザー操作に連動して適時に中間色駆動を開始できるとともに、ユーザーが設定の推移を観察することが可能となる。
【００２１】
本発明の表示装置の駆動方法では、前記中間色駆動工程における一の表示書換処理の間、表示切替要求を発生させる操作部材による操作が保持されていた際には、前記中間色駆動工程による表示書換処理を続行し、前記中間色駆動工程における一の表示書換処理中に前記操作部材による操作が解除された際には、前記中間色駆動工程から前記飽和駆動工程に移行することが好ましい。
また、本発明の表示装置の駆動装置では、表示切替要求を発生させる操作部材による操作状態を検出する操作検出部を備え、前記中間色駆動部は、前記操作部材による操作が所定時間保持されたことが前記操作検出部により検出された際に、表示書換処理を行い、かつ一の表示書換処理の間、前記操作部材による操作が保持されていた際には、表示書換処理を続行し、前記飽和駆動部は、前記中間色駆動部による一の表示書換処理中に前記操作部材による操作が解除された際に表示書換処理を行うことが好ましい。
【００２２】
これらの発明によれば、操作が保持されている間は中間色駆動によって表示書換を連続して迅速に行い、保持操作が解除された際にはユーザーが項目選択や時刻修正を終了したいものと判断して飽和駆動工程を行う。これにより、ユーザー操作に連動した一層適時な駆動を実現できる。
【００２３】
本発明の表示装置の駆動方法では、表示切替要求を発生させる操作部材による操作が当該操作部材による一つ前の操作時から前記飽和駆動工程の一の表示書換処理に要する飽和時間よりも短い時間間隔で行われた際に、処理中の表示書換処理を中断して前記中間色駆動工程による表示書換処理を行うことが好ましい。
【００２４】
また、本発明の表示装置の駆動装置では、表示切替要求を発生させる操作部材による操作状態を検出する操作検出部を備え、前記中間色駆動部は、前記操作部材による操作が当該操作部材による一つ前の操作時から前記飽和駆動部の一の表示書換処理に要する飽和時間よりも短い時間間隔で行われたことが前記操作検出部により検出された際に、処理中の表示書換処理を中断して表示書換処理を行うことが好ましい。
【００２５】
これらの発明によれば、操作部材による操作の時間間隔が飽和時間よりも短い場合に、ユーザーが表示書換を連続的に行いたいものと判断して中間色駆動を行うので、操作部材の短い間隔での繰り返し操作（操作部材が押しボタンの場合には連打）にほぼ同期して表示書換を迅速に行うことができる。
なお、飽和時間とは、飽和状態となるまで粒子を移動させるのに必要な時間、すなわち飽和駆動工程の一の表示書換処理に要する時間をいう。
【００２６】
本発明の表示装置の駆動方法では、表示切替要求を発生させる操作部材による操作が前記飽和駆動工程の一の表示書換処理に要する飽和時間よりも短い時間間隔で繰り返し行われた場合には、前記操作部材の操作回数に基づく数だけ順次、前記中間色駆動工程による表示書換処理を行うことが好ましい。
【００２７】
また、本発明の表示装置の駆動装置では、表示切替要求を発生させる操作部材による操作状態を検出する操作検出部と、前記操作部材による操作が前記飽和駆動部の一の表示書換処理に要する飽和時間よりも短い時間間隔で繰り返し行われたことが前記操作検出部により検出された際に繰り返し回数を記憶する操作回数記憶部とを備え、前記中間色駆動部は、前記操作回数記憶部が記憶した操作回数に基づく数だけ順次、表示書換処理を行い、前記操作回数記憶部は、前記中間色駆動部による前記操作回数に基づく数の表示書換処理後に、記憶した操作回数をリセットすることが好ましい。
【００２８】
これらの発明において、操作部材による操作の時間間隔が飽和時間よりも短い場合に、ユーザーが表示書換を連続的に行いたいものと判断して中間色駆動を行う点は上記構成の発明と同様であるが、本発明では、中間色駆動による表示書換処理が操作部材の操作とは同期しない。本発明における中間色駆動による表示書換処理は、操作部材の操作によって中断されることなく、操作回数に基づく数だけ繰り返される。すなわち、操作部材による操作の時間間隔よりも中間色駆動や飽和駆動に要する時間が長く掛かる構成において、操作された回数だけ確実に操作でき、かつ、操作部材を連打した際の表示状態の遷移をユーザーが確認することが可能となる。
【００２９】
本発明の表示装置の駆動方法では、所定時または所定条件成立時に前記中間色駆動工程を開始し、その後の所定時または所定条件成立時に前記中間色駆動工程から前記飽和駆動工程に移行することが好ましい。
【００３０】
この発明によれば、ユーザーの操作によらずとも自動的に中間色駆動工程を開始し、その後、中間色駆動工程から飽和駆動工程に自動的に移行するので、例えばアラーム時刻の報知時や、タイマー時刻のカウントダウン、画面遷移時のワイプ動作、定時アニメーション動作などの所定時または所定条件成立時にも、前述した表示切替の短縮の効果を享受できる。
【００３１】
本発明の表示装置の駆動方法では、駆動時の温度に応じて、前記中間色駆動工程における電界印加時間、および前記飽和駆動工程における電界印加時間の少なくとも一方を増減させることが好ましい。
【００３２】
この発明によれば、粒子移動の温度特性に対応できる。具体的に、常温よりも低温の場合に粒子の移動速度が低下する場合は、低温時には常温時よりも電界印加時間を長くすることで常温時と同等の反射率を実現でき、表示切替過程の表示や、切替えられた表示の顕在化などを確実に、かつ迅速に行うことができる。
【００３３】
以上の本発明の駆動方法および駆動装置は、各種の粒子移動型表示装置、例えば、電気泳動表示デバイス（電気泳動ディスプレイ）や、帯電トナー型表示デバイス、電子粉流体表示デバイス等に適用できる。
なお、帯電トナー型表示デバイスの構成の例としては、電荷輸送部材が塗布された一対の基板間に導電性トナーと微粒子とを封入したものがある。
また、電子粉流体表示デバイスの構成の例としては、流体と粉体との中間の性質を有する電子粉流体を基板間に封入したものがあり、色が異なり、かつ帯電時には互いに反発しあう二種類の電子粉流体により、表示が行われる。
【００３４】
本発明の表示装置は、前述の表示装置の駆動方法、または前述の表示装置の駆動装置によって駆動されることを特徴とする。
【００３５】
この発明によれば、前述した駆動方法、駆動装置によって駆動されるため、前述と同様の作用および効果を享受することができる。
【００３６】
本発明の表示装置は、電気泳動表示デバイスであることが好ましい。
【００３７】
電気泳動表示デバイスは、他の種類の表示装置と比べて反射率が高く、表示可能な中間色の階調範囲（濃度範囲）も広い。すなわち、ある階調の中間色と他の階調の中間色との色の差の目視が容易であり、本発明の適用例として特に好適となる。
また、電気泳動表示デバイスは、電界印加を開始した際の初期的な応答が高いという特性があるため、電界印加開始後、表示変化（応答、反応）が表れるのに充分な色濃度まで短時間で達する。この特性からも、電気泳動表示デバイスは本発明の適用例として特に好適となる。
【００３８】
なお、電気泳動表示デバイスには、色が異なりかつ正負にそれぞれ帯電した２つの粒子を有する二粒子系や、１つの粒子を有しこの粒子の色と溶液の色とで二色の表示を行う一粒子系などがある。また、電気泳動表示デバイスの表示色は、二色に限らず、ＲＧＢの各粒子によりカラー表示も可能とされている。
電気泳動表示デバイスの粒子移動方向に応じた表示方式には、視認方向の表側と裏側とにそれぞれ対向して設けられた電極間で粒子を移動させる垂直方向移動方式や、各画素を
仕切る隔壁を有し、粒子を隔壁の側面部または画素の平面部に移動させる水平方向移動型などがある。
さらに、電気泳動表示デバイスの駆動方式は、セグメント駆動方式でも、ドットマトリクス駆動方式でもよい。
【００３９】
本発明の電子機器は、前述の表示装置の駆動装置を備えることを特徴とする。
【００４０】
この発明によれば、前述した駆動装置を備えるため、前述と同様の作用および効果を享受することができる。
【００４１】
本発明の電子機器では、計時部と、この計時部で計時した計時情報を表示する計時情報表示部とを備えることを特徴とする。
【００４２】
この発明によれば、電子機器は、時計として構成され、または、時計機能を有する。
前述のように表示切替を短時間で行うことが可能なため、時計の基本性能である秒の表示を実現することができる。すなわち、時計への適用により、表示切替を短時間で行うことのできる効果を大きくできる。
また、アラームや、ワールドタイムや、タイマーなどの各種機能を装備する時計において、これらの各種設定画面における設定変更などを迅速に行うことが可能となる。
【発明の効果】
【００４３】
本発明によれば、粒子移動型表示装置における表示切替時間を大幅に短縮できる。
【発明を実施するための最良の形態】
【００４４】
以下、本発明の実施形態について図面を参照して説明する。
なお、第２実施形態以降の説明に関し、第１実施形態と同様の構成については、同一符号を付して、説明を省略もしくは簡略化する。
【００４５】
〔第１実施形態〕
本発明の第１実施形態を図面を参照して説明する。
［１．全体構成］
図１は、本実施形態の電子機器としての時計１の外観平面図である。
時計１は、ディジタル表示式の電子腕時計として構成され、矩形状の開口１１が正面に形成された外装ケース１０と、バンド１２と、開口１１から視認される電気泳動表示パネル３０とを備えている。なお、開口１１にはカバーガラス１１Ａが設けられ、外装ケース１０の側面には操作ボタン１３１〜１３４が設けられている。
【００４６】
［２．電気泳動表示モジュールの構成］
図２は、電気泳動表示モジュール３の構成を簡略に示す平面図である。電気泳動表示モジュール３は、大略、電気泳動表示パネル３０と、制御回路基板４０とを備え、これらは異方性導電膜（ＡＣＦ；Anisotropic Conductive Film）などによる配線部材Ｃで互いに
接続されている。なお、外装ケース１０に収容された状態では、これらの電気泳動表示パネル３０と制御回路基板４０とは配線部材Ｃの部分で折り返され、重ねられている。
【００４７】
［２−１．制御回路基板の構成］
制御回路基板４０には、時計１の駆動源である電源４２０と、時計１全体を制御する制御用コントローラ４２５と、表示パネル３０のドライバＩＣ４２６と、スイッチ素子４２７と、水晶発振回路素子４２８とが実装されている。なお、電源４２０は、本実施形態では一次電池であるが、二次電池や、その他の電源装置であってもよい。
また、ドライバＩＣ４２６と配線部材Ｃとは、詳しい図示を省略するが、互いに接続さ
れている。
【００４８】
［２−２．電気泳動表示パネルの構成］
表示パネル３０には、７分割のセグメントから構成された数字により、時表示部３０Ｈと、分表示部３０Ｍと、秒表示部３０Ｓとがそれぞれ設けられている。また、時表示部３０Ｈと分表示部３０Ｍとの間には２つのセグメントによりコロン（：）表示部３０Ｃが設けられ、さらに、クロノグラフ機能の動作時に表示される「ｍ」、「ｓ」の各セグメントも設けられている。これらのセグメントを特に区別する必要がないときは、これらをセグメント３００と総称する。
なお、表示パネル３０には、表示領域全体からすべてのセグメント３００を除いた領域である背景の表示を行うための背景表示用電極３９０が設けられている。
【００４９】
図３は、図２のIII−III線における表示パネル３０の断面図である。
表示パネル３０は、表示基板３１と、透明基板３２と、表示基板３１および透明基板３２の間に設けられた電気泳動層３３とを含んで平面視矩形状に構成され、外装ケース１０内に配設されている。
【００５０】
表示基板３１の表面（透明基板３２との対向面）には、各セグメント３００に対応するセグメント電極３１０が設けられるとともに、長手方向の両端部に、透明基板３２側の電極に導通される電極３２１，３２２がそれぞれ設けられている。
セグメント電極３１０の表面には、接着剤（接着層）ＡＤが設けられることにより、複数のマイクロカプセル３３０が接着されている。これらのマイクロカプセル３３０は、電気泳動層３３を構成する。
【００５１】
表示基板３１の裏面には、表示基板３１表面に形成されたセグメント電極３１０、背景表示用電極３９０、および電極３２１，３２２を配線部材Ｃ（図２）を介して制御回路基板４０に導通する配線３１２が形成されている。各配線３１２と各電極との間は、表示基板３１を厚み方向に貫通するビア３１４によって接続されている。
【００５２】
一方、透明基板３２の裏面（表示基板３１との対向面）には、ＩＴＯ（Indium Tin Oxide）などによる透明な共通電極３２０が設けられている。この共通電極３２０は、透明基板３２の裏面略全体に亘って設けられ、各セグメント電極３１０との間でそれぞれ電圧が印加される各セグメント電極３１０共通の電極とされている。この共通電極３２０と、電極３２１，３２２それぞれとの間には、導通部材３２１Ａ，３２２Ａが介装されている。
【００５３】
なお、透明基板３２の表面側に設けられた耐湿シート３２Ａ、および表示基板３１の裏面側に設けられた耐湿シート３１Ａにより、透明基板３２、マイクロカプセル３３０、および表示基板３１等は密封されている。
【００５４】
［３．電気泳動による表示］
図４は、表示パネル３０における電気泳動層３３を示す模式図である。電気泳動層３３は、多数のマイクロカプセル３３０が密集して配置されることによって形成され、各マイクロカプセル３３０には、多数の帯電粒子が分散した電気泳動粒子分散液３３１がそれぞれ封入されている。電気泳動粒子分散液３３１では、黒色の電気泳動粒子（以下、黒粒子という）３３１Ａと、白色の電気泳動粒子（以下、白粒子という）３３１Ｂとが分散され、二色の粉流体方式の電気泳動層が構成されている。これら黒粒子３３１Ａおよび白粒子３３１Ｂは、互いに異なる極性に帯電した顔料とされ、本実施形態では、黒粒子３３１Ａがマイナス（負）に帯電し、白粒子３３１Ｂがプラス（正）に帯電している。
【００５５】
すなわち、セグメント電極３１０がハイレベル電位（Ｈ電位）であり、共通電極３２０
がローレベル電位（Ｌ電位）の場合、その電位差によって共通電極３２０からセグメント電極３１０に向かう電界が発生し、負に帯電した黒粒子３３１Ａがセグメント電極３１０側に移動するとともに、正に帯電した白粒子３３１Ｂが共通電極３２０側に移動する。この白粒子３３１Ｂが共通電極３２０に最大限近接して飽和状態となった際、表示パネル３０における表示は白色となる。
【００５６】
この白色表示の場合とは逆に、セグメント電極３１０をローレベル電位（Ｌ電位）とし、共通電極３２０をハイレベル電位（Ｈ電位）に切替えた場合、電界の向きが逆転し、黒粒子３３１Ａが共通電極３２０に最大限近接して飽和状態となった際の表示パネル３０における表示は黒色となる。図１の例では、「１２：００」の各数字およびコロンがそれぞれ、黒色で表示されている。
【００５７】
また、黒粒子３３１Ａ、白粒子３３１Ｂの移動量を電界印加時間に応じて調整することにより、黒と白との間の色階調の中間色表示も可能となっている。
なお、表示色を保持する際には、電界印加が停止される。この電界印加の停止により、黒粒子３３１Ａ，白粒子３３１Ｂの位置が理想的には変わらず、その位置に黒粒子３３１Ａ，白粒子３３１Ｂが留まるので、表示色が保持される。
【００５８】
［４．駆動制御部の構成］
図５は、制御回路基板４０（図２）の電気的構成を示すブロック図である。制御回路基板４０は、制御用コントローラ４２５に実装される駆動制御部６１と、ドライバＩＣ４２６（図２）に実装される表示駆動部６２とを有し、表示パネル３０の駆動装置として機能する。
駆動制御部６１は、表示駆動部６２に対する入出力を行う入出力部６１１と、計時情報を取得する計時部６１２と、電源４２０から各回路素子４２５〜４２８に電力を供給する電圧制御部６１３と、操作ボタン１３１〜１３４の操作状態を検出する操作検出部６１４と、これらの各部６１１〜６１４の動作を制御する制御部６１５と、記憶部６１６とを有する。
【００５９】
計時部６１２は、水晶発振回路素子４２８の発振パルスをカウントすることにより時刻を計時するものであり、この計時部６１２は、制御部６１５を通じて入出力部６１１を制御する。
また、表示駆動部６２は、表示パネル３０の共通電極３２０と各セグメント電極３１０との間に電圧を印加する駆動信号を表示パネル３０に印加する。ここで、表示駆動部６２は、計時部６１２により取得された計時情報に基いて、各セグメント電極３１０それぞれに所定電位の駆動信号を印加する。
【００６０】
［４−１．表示駆動部の構成］
図６は、表示パネル３０を駆動する表示駆動部６２の構成ブロック図である。表示駆動部６２は、Ｌ電位（第１電位；本実施形態では０Ｖ）を生成するＬ電位生成部６２１と、昇圧回路部６２０に接続されＨ電位（第２電位；本実施形態では＋１５Ｖ）を生成するＨ電位生成部６２２と、これらの電位生成部６２１，６２２で生成された電位によりパルスを生成するパルス生成部６２３と、表示状態に応じて、表示パネル３０に出力する電位を切替えたり、駆動期間（電界印加時間）などを制御する表示制御部６２４とを有する。
なお、昇圧回路部６２０は、電源４２０から供給される電圧（例えば１．５Ｖ）をＨ電位（本実施形態では１５Ｖ）に昇圧する。
【００６１】
また、表示駆動部６２は、ドライバＩＣ４２６の複数の出力端子として、共通電極３２０に接続される共通電極用端子６２８と、各セグメント３００にそれぞれ対応する複数のセグメント電極用端子６２９１〜６２９ｎとを有し、これらの端子への出力は、表示制御部６２４により制御される。
【００６２】
表示制御部６２４は、表示パネル３０における各粒子３３１Ａ，３３１Ｂを飽和状態にさせる飽和駆動部６２５と、各粒子３３１Ａ，３３１Ｂを飽和状態以外の中間状態にさせる中間色駆動部６２６と、表示切替要求を発生させる表示切替要求発生部６２７とを有する。
【００６３】
［５．表示パネルの駆動工程］
次に、表示パネル３０の駆動工程を説明する。
［５−１．飽和駆動工程］
図７は、飽和駆動部６２５により行われる飽和駆動工程の一部を示す。ここで、ＣＯＭは、表示駆動部６２から伝送されて共通電極（ＣＯＭ）においてＬ電位とＨ電位との間で変化する駆動パルスの電位を示し、ＳＥＧ１，ＳＥＧ２はそれぞれ、表示駆動部６２から表示色に応じて伝送され、セグメント電極３１０（図３）に印加される駆動信号の一例を示す。
また、図７の下方には、表示パネル３０における表示色の濃度を示した。
飽和駆動工程では、図７に示したＣＯＭの半波長１０回（５パルス）の間に１回の表示書換を行う。本実施形態では、ＣＯＭの半波長は０．２５秒としている。ＣＯＭの半波長１０回を１セットとする駆動期間Ｔ１が１回の表示書換の所要時間（飽和時間）となる。
【００６４】
ＳＥＧ１は、ここではＨ電位とされ、ＣＯＭがＬ電位の際（Ｗ１〜Ｗ５）にＳＥＧ１とＣＯＭとの間に電圧が印加される。これにより、白粒子３３１Ｂが表示パネル３０の表側に、黒粒子３３１Ａが表示パネル３０の裏側にそれぞれ泳動して飽和状態となり、図７に色の濃度を実線で示すように、表示色が黒色から白色へと変更される。
一方、ＳＥＧ２は、ここではＬ電位とされ、ＣＯＭがＨ電位の際（Ｂ１〜Ｂ５）にＳＥＧ２とＣＯＭとの間に電圧が印加される。これにより、黒粒子３３１Ａが表示パネル３０の表側に、白粒子３３１Ｂが表示パネル３０の裏側にそれぞれ泳動して飽和状態となり、表示色が白色から黒色へと変更される。
なお、図７には示していないが、表示色を保持するセグメントに対応するセグメント電極３１０（図３）には、ＣＯＭと同位相かつ同電位のパルス信号が印加される。これにより、当該セグメントには電圧が掛からず、表示色は黒色または白色に保持される。また、ＳＥＧ１、ＳＥＧ２も、これらＳＥＧ１，ＳＥＧ２が印加されるセグメントの表示色を保持する際には、ＣＯＭと同様のパルス信号とされる。
【００６５】
本実施形態では、通常の時刻表示モードにおける時表示部３０Ｈおよび分表示部３０Ｍの表示を図７に示したような飽和駆動工程により行っている。本実施形態では、図１に示すように正時の際に秒が表示されるが、それ以外のときは、時、分を飽和駆動することで時刻を表示しており、時表示部３０Ｈ、分表示部３０Ｍにおける各セグメントは、表示する数字に応じて黒色または白色で表示される。
【００６６】
［５−２．中間色駆動工程］
図８は、中間色駆動部６２６（図６）により行われる中間色駆動工程の一部を示す。この中間色駆動工程では、１回の表示書換動作における駆動期間（電界印加時間）が図７の飽和駆動工程の場合よりも短い。具体的に、中間色駆動工程におけるＣＯＭの半波長は飽和駆動工程におけるＣＯＭの半波長の１／２である０．１２５秒とされている。ＣＯＭの半波長４回（２パルス、０．５秒）を１セットとする駆動期間が中間色駆動における１回の表示書換の所要時間となる。
なお、ここに示したＣＯＭの波長は一例であり、本実施形態において、中間色駆動工程におけるＣＯＭの半波長を例えば、約０．００５秒（５ｍｓ）以上かつ約０．００５秒（５ｍｓ）単位で設定することが可能である。また、本実施形態では、常温時、中間色駆動工程における半波長を約０秒以上、約０．６秒以下に設定できる。ここで、半波長を０秒とする例として、全波長のうち、半波長の一方を０秒、他方を例えば０．０５秒とする場合が挙げられる。この場合は、表示パネル３０の全画面を白（またはライトグレー）、あるいは黒（またはダークグレー）に描画する際に描画の時間短縮が図られるので有用となる。すなわち、この場合は、白（またはライトグレー）への描画と、黒（またはダークグレー）への描画との双方向の描画を時分割で交互に行うのではなく、一方向への描画を連続して行うことになる。つまり、図８に示したようなＣＯＭのパルス波形によって時分割で双方向に描画する動作と、時分割でなく一方向に描画する動作とを、適宜切り換えて行っても良い。
【００６７】
ここで、本実施形態では、駆動時の温度に応じて、中間色駆動工程における電界印加時間や飽和駆動工程における電界印加時間を増減させている。同じ時間内で粒子３３１Ａ，３３１Ｂが移動した結果のコントラストの比較において、低温時におけるコントラストは常温時におけるコントラストよりも低下するため、１回の駆動期間（Ｔ１等）におけるＣＯＭのパルス数を増加させたり、半波長を長くする。このようにして延べ電界印加時間（駆動期間）を長くすることによって、常温時と同等の反射率を確保している。本実施形態の飽和駆動工程（図７）における延べ電界印加時間は、常温時、２．５秒であるのに対して、０℃ではその２倍の５秒としている。
なお、本実施形態では、周囲温度等の使用条件変化が起きても、目視可能な中間色の差が得られるよう、かつ操作に対しての反応が適当と感じるよう、１回の駆動期間（Ｔ１等）におけるＣＯＭのパルス数を１から６０００発まで選択できるようにしてある。
また、印加電圧や、粒子径などに応じて、延べ電界印加時間は適宜決められる。
【００６８】
図８に示した例では、ＳＥＧ１は、表示色が黒方向から白方向へ、また白方向から黒方向へ、そして再び黒方向から白方向へと連続的に変更される場合の電位を示し、ＣＯＭがＬ電位でＳＥＧ１がＨ電位の際に、白方向への書込み（Ｗ１〜Ｗ４）が行われる。また、ＣＯＭがＨ電位でＳＥＧ１がＬ電位の際に、黒方向への書込み（Ｂ１，Ｂ２）が行われる。このようなＳＥＧ１が印加されたセグメントにおける表示色の濃度を実線で示す。
一方、ＳＥＧ２は、表示色が白方向から黒方向へ、また黒方向から白方向へ、そして再び白方向から黒方向へと連続的に変更される場合の電位を示し、ＣＯＭがＨ電位でＳＥＧ２がＬ電位の際に、黒方向への書込み（Ｂ１〜Ｂ４）が行われ、また、ＣＯＭがＬ電位でＳＥＧ２がＨ電位の際に、白方向への書込み（Ｗ１，Ｗ２）が行われる。このようなＳＥＧ２が印加されたセグメントにおける表示色の濃度を破線で示す。
【００６９】
ここで、このようなＳＥＧ１，ＳＥＧ２がそれぞれ印加される各セグメントでは、１回の表示書換で表示色は飽和状態（黒色または白色）とならずに中間状態に留まり、表示色は中間色（グレー）となるが、ＳＥＧ１のセグメントとＳＥＧ２のセグメントとにおける表示色の差（濃度の差）に基づいて表示切替（表示書換）が可能となっている。
すなわち、図８の駆動期間Ｔ１において書換えられた表示色は、ＳＥＧ１については白書込みＷ２完了時点の白丸（○）が示すように、黒と白とでは白の方により近いライトグレー（薄灰色）となり、ＳＥＧ２については黒書込みＢ２完了時点の黒丸（●）が示すように、黒と白とでは黒の方により近いダークグレー（濃灰色）となる。これらのライトグレーとダークグレーとは目視で判別可能であり、これらの色の差に基づいて表示切替えが行われる。
この駆動期間Ｔ１と同様に、駆動期間Ｔ２でも、ＳＥＧ１による黒書込みＢ２完了時点の黒丸（●）が示すダークグレーと、ＳＥＧ２による白書込みＷ２完了時点の白丸（○）が示すライトグレーとの色の差に基づいて表示切替えが行われる。
そして、駆動期間Ｔ３では、ＳＥＧ１による白書込みＷ４完了時点（白丸（○））と、ＳＥＧ２による黒書込みＢ４完了時点（黒丸（●））とにおける表示色はそれぞれ、ライトグレーおよびダークグレーとなり、これらライトグレーとダークグレーとの色の差に基づいて表示切替えが行われる。
【００７０】
以上説明した飽和駆動工程と、中間色駆動工程とは、後述するように適宜切替えられてそれぞれ行われる。また、本実施形態では、飽和駆動工程において飽和させる間に新たな表示切替要求が発生する場合、表示切替要求発生部６２７（図６）により、飽和駆動部６２５（図６）に制御信号を送信して次の表示処理を行わせるようになっている。
すなわち、図７の飽和駆動工程において、表示切替要求が発生すると、書換え中の表示処理を中断し、新たな表示処理を飽和駆動工程により行うことが可能となっている。
【００７１】
［６．表示パネルの駆動例］
次に、時計１が有する各種機能をそれぞれ動作させた際の表示パネル３０の駆動例を示す。
［６−１．時刻修正］
図９〜図１２は、時刻修正を行う場合の時刻表示を示し、図１３、図１４は、図９〜図１２の動作の際に行われる駆動工程の切り替わりを示す。
ここで、図１３、図１４には、駆動工程（図の上段）と、操作ボタン１３１の操作状態（図の中段）と、表示パネル３０の表示状態（図の下段）とをそれぞれ示した。
なお、図１３、図１４で示した各飽和駆動工程はそれぞれ、図７に示した飽和時間Ｔ１に係る一の表示書換処理を意味する。また、図１３、図１４で示した各中間色駆動工程はそれぞれ、図８に示した例えばＴ１に係る一の表示書換処理を意味する。
【００７２】
時刻修正を開始する際には、例えば操作ボタン１３３を操作し、時刻修正モードにする（図９（Ａ））。この際、秒表示部３０Ｓは「００」秒にリセットされる。そして、操作ボタン１３４等を操作して分表示部３０Ｍを修正対象にセットし、例えば操作ボタン１３１を押すことによって分を１つずつカウントアップしていく。
ここで、操作ボタン１３１を押す操作が所定時間、例えば１秒間保持されたこと（長押し）が操作検出部６１４（図５）によって検出されると、駆動制御部６１による駆動制御は飽和駆動工程Ｓ１から中間色駆動工程Ｓ２に移行し（図１３）、分表示部３０Ｍの表示はグレー色（図１３の下段における中間状態）でカウントアップされる。
なお、表示切替要求は、操作ボタン１３１を押したタイミングと、飽和駆動工程Ｓ１１から中間色駆動工程Ｓ１２に切り替わるタイミングと、操作ボタン１３１を保持している際に中間色駆動の表示書換時間（例えば図８のＴ１やＴ２やＴ３）が経過するタイミングとにそれぞれ発生する。表示切替要求は、表示切替要求発生部６２７（図６）から飽和駆動部６２５（図６）に送信される。
中間色駆動工程Ｓ２による表示書換中に操作ボタン１３１の操作が解除（オフ）されると、カウントアップは停止され、中間色駆動工程Ｓ２から飽和駆動工程Ｓ３（図１３）に移行する。これにより、分表示部３０Ｍの表示は飽和色である黒色（図１３の下段における飽和状態）で表示される。
【００７３】
図１３の例では、飽和駆動工程Ｓ３の後、待機時間（ボタンが押されない時間）を挟んで再び、操作ボタン１３１が押される。この際、図１３（Ｄ）の飽和駆動工程Ｓ４において表示書換処理（カウントアップ）が開始されるとともに、操作ボタン１３１による操作が所定秒保持されることにより、図１３（Ｅ）の中間色駆動工程Ｓ５が行われる。ここでは、中間色駆動工程Ｓ５の表示書換処理の間、操作ボタン１３１の操作が保持されたため、次の中間色駆動工程Ｓ６において中間色駆動の表示書換処理が続行される。そして、中間色駆動工程Ｓ６の表示書換処理中に操作ボタン１３１の操作が解除されたことにより、カウントアップが停止されて飽和駆動工程Ｓ７が行われる。
【００７４】
上記の図１３の（Ａ）〜（Ｇ）に示したような操作ボタン１３１の操作（長押し）を適宜行うことにより、分表示部３０Ｍの数字がカウントアップされ、カウントアップされている間は、例えば図９（Ｂ）のように分表示部３０Ｍの表示がグレー色（中間状態）で表示される。このとき分表示部３０Ｍの表示は「２５」を示している。
操作ボタン１３１を離した後は飽和駆動工程が行われるため、長押し後は、例えば図１０（Ｃ）のように分表示部３０Ｍの数字が黒色（飽和状態）で表示される。このとき分表示部３０Ｍの表示は「２８」を示している。
【００７５】
続いて、操作ボタン１３１を４回連打して図１０（Ｄ）、図１１（Ｅ）、（Ｆ）、図１２（Ｇ）、（Ｈ）のように分をカウントアップして所望の「３２」分に修正する際の駆動制御について、図１４を参照して説明する。図１４は、飽和駆動工程Ｓ７の後、適宜な待機時間を挟んで操作ボタン１３１が４回連打された例を示す。
ここで、操作検出部６１４（図５）は、操作ボタン１３１が押された時間間隔を駆動制御部６１における所定周期の基準信号のタイミングで検出している。すなわち、操作検出部６１４は、図１４に示した操作ボタン１３１の操作間隔Ｍ１，Ｍ２，Ｍ３を検出している。この操作間隔Ｍ１が飽和駆動工程の表示書換処理に要する飽和時間Ｔ１（図７）よりも短いとき、「２９」を描画する図１０（Ｄ）の飽和駆動工程Ｓ１１の表示書換処理は中断され、駆動制御部６１による駆動制御は図１１（Ｅ）の「３０」を描画する表示書換処理（中間色駆動工程Ｓ１２）に移行する。
つまり、操作ボタン１３１の操作が１つ前の操作時（１回目の操作時）から飽和時間よりも短い時間間隔Ｍ１で行われると、中間色駆動工程Ｓ１２が開始される。
【００７６】
図１４の例では、２回目と３回目との操作間隔Ｍ２も、３回目と４回目との操作間隔Ｍ３も飽和時間Ｔ１より短いため、中間色駆動工程Ｓ１２に続いて、「３１」を描画する表示書換処理（中間色駆動工程Ｓ１３）と、「３２」を描画する表示書換処理（中間色駆動工程Ｓ１４）とがそれぞれ行われる。本実施形態では、操作ボタン１３１の操作に同期して中間色駆動工程の表示書換処理が行われており、操作ボタン１３１の操作間隔Ｍ２，Ｍ３は中間色駆動工程の表示書換処理に要する所定時間（図８のＴ１やＴ２やＴ３）よりも短い。このため、中間色駆動工程Ｓ１２、Ｓ１３における表示書換処理は操作ボタン１３１の操作によって中断され、次の表示書換処理が行われる。飽和駆動工程Ｓ１１から中間色駆動工程Ｓ１４までにおける分表示部３０Ｍの表示状態は、中間状態（グレー色）となっている。
そして、中間色駆動工程の表示書換処理中に操作ボタン１３１が操作されないことが操作検出部６１４によって検出されると、飽和駆動工程Ｓ１５が行われる。この飽和駆動Ｓ１５により、中間色駆動工程Ｓ１４でグレー色で表示された数字が図１２（Ｈ）のように飽和状態である黒色で表示される。なお、中間色駆動工程Ｓ１４の開始時から飽和時間Ｔ１後に、分表示部３０Ｍの表示は黒色となる。
【００７７】
［６−２．ダウンカウンタータイマー］
次に、図１５は、ダウンカウンタータイマーを動作させる際の表示状態を示す。ここでは３分間のタイマーが動作し、残り時間が１０秒毎に表示される。タイマー開始後、図１５（Ａ）、（Ｂ）のように分表示部３０Ｍおよび秒表示部３０Ｓの表示がそれぞれ書換えられ、図１５（Ｃ）の直前、すなわち残り時間１０秒前までは、分表示部３０Ｍの表示、秒表示部３０Ｓの表示ともに、飽和駆動により黒色で表示される。そして、残り時間１０秒前で飽和駆動工程から中間色駆動工程に移行し、「１０」秒〜「００」秒まで、１秒毎に表示を書換えるカウントダウンが行われる。図１６に、このカウントダウンの際の中間色駆動例を示す。このカウントダウンでは１秒毎の表示書換が必要となるため、０．１２５秒を半波長とする４つのパルスにより１回の表示書換を行う中間色駆動工程（駆動期間Ｔ１，Ｔ２等）が行われる。駆動期間Ｔ１では白方向に表示色を書き換える処理が行われ、駆動期間Ｔ２では、黒方向に表示色を書き換える処理が行われている。「１０」秒から「００」秒までのカウントダウンにおいて、駆動期間Ｔ１等に示した中間色駆動工程が１０回繰り返され、最後の「００」秒の表示は飽和駆動工程により行われる。
【００７８】
［６−３．毎正時報知］
図１７は、毎正時（０時０分または１２時０分）を報知する際の表示状態を示す。本実施形態では、通常は秒の表示は行われず、時、分のみで時刻表示が行われるが、図１７（Ａ）に示した正時３秒前である１１時５９分５７秒から、（Ｂ）の状態を介して（Ｃ）の正時となるまでの間、中間色駆動により、秒表示部３０Ｓに秒が表示される。この際の駆動例は、図１６と同様であり、１秒毎に秒表示部３０Ｓの表示書換えが行われる。そして、正時１秒となった際に中間色駆動工程から飽和駆動工程に移行し、秒表示部３０Ｓにおける表示が背景色と同じ白色で描画されて消去される。
なお、正時を示す図１７（Ｃ）では、秒表示部３０Ｓの表示だけでなく時表示部３０Ｈの表示および分表示部３０Ｍの表示も書き換えられる。図１７（Ｃ）は、飽和色での表示状態となる前の中間色での表示状態を示している。
ここで、本実施形態では、毎正時を報知（アピール）する際にのみ、秒を表示しているが、本実施形態と同様の構成の表示パネル３０および制御回路基板４０によって毎秒の秒表示も可能である。つまり、時、分、秒によって現在時刻を表示するように構成することもできる。
【００７９】
［６−４．アラーム時刻一致の報知］
図１８は、現在時刻がアラーム時刻に一致したことを報知する際の表示状態を示す。ここではアラーム設定時刻が「８：００」であり、現在時刻がこのアラーム時刻に一致すると、図１８（Ａ）および（Ｂ）で示したように「８：００」の表示色と背景部の表示色とがダークグレーとライトグレーとに繰り返し反転される。この反転表示は、中間色駆動工程により行われ、所定時間が経過するまで、あるいは操作ボタン等が操作されるまで反転表示がされた後、中間色駆動工程から飽和駆動工程に復帰する。
【００８０】
［６−５．クロノグラフ機能の表示］
図１９は、クロノグラフ（ストップウォッチ）を動作させる際の表示状態を示す。操作ボタン１３３等の操作により、クロノグラフのモードとすると、時表示部３０Ｈに分が、分表示部３０Ｍに秒が表示される。操作ボタン１３１等を押して計測を開始すると、経過時間がカウントアップされるが、一秒桁の表示については、中間色駆動工程によりグレー色でカウントアップされる（図１９（Ａ））。そして、操作ボタン１３１等を操作して計測を停止すると（図１９（Ｂ））、時計の内部カウンタの計測時刻に基づいて、分および秒が飽和駆動工程により黒色で表示される。
【００８１】
［７．本実施形態による効果］
以上の本実施形態によれば、次のような効果を得ることができる。
（１）時計１の表示パネル３０の駆動において、中間色駆動工程（図８等）を備えることにより、この中間色駆動時、表示パネル３０では、飽和していない中間状態での表示色の差に基づいて表示切替が行われる。このような中間色駆動を行うことで、特に、連続して表示切替が必要となる場合などに表示切替時間の大幅な短縮を図ることができ、また、飽和駆動を常に行う場合よりも低消費電力にもできる。
【００８２】
（２）また、表示パネル３０を駆動する際には、飽和駆動工程（図７）も実施するため、中間色駆動工程による中間状態の表示が、この飽和駆動工程による処理で飽和状態とされて反射率が最大となる。これにより、表示切替を短時間で行いつつ、表示状態を維持する際の視認性をより高くできる。
【００８３】
（３）さらに、表示パネル３０の駆動装置は、一電源（片電源）で構成され（図５および図６）、Ｈ電位（＋１５Ｖ）とＬ電位（０Ｖ）との二電位駆動により、時分割で白から黒へ、黒から白への双方向の表示切替えを行う。これにより、回路構成が大型化せず、携帯性が要求される時計１に好適な構成にできるとともに、表示切替時間が長く掛かる片電源駆動において、表示切替時間の短縮化の効果を際立たせることができる。
【００８４】
（４）表示駆動部６２（図６）に表示切替要求発生部６２７を備え、飽和駆動工程および中間色駆動工程における表示処理中に表示切替要求が発生した際に（図１３）、次の表示処理を行う。すなわち、飽和状態となるまで待たずに、飽和状態となる前の中間状態から次の表示処理を行うことにより、表示切替の所要時間をより短縮できる。
【００８５】
（５）操作ボタン１３１〜１３４の保持操作の時間をカウントして、約２秒間、保持操作が継続された際にユーザーが連続して項目選択や時刻修正などを行いたいものと判断して中間色駆動を開始しているため、ユーザー操作に連動して適時に中間色駆動を開始できるとともに、ユーザーが設定の推移を観察することが可能となる。
【００８６】
（６）またさらに、操作ボタンの保持操作が解除された際にはユーザーが項目選択や時刻修正を終了したいものと判断して飽和駆動工程を行い（図１３のＳ３）、さらに、飽和するまでに次の操作が行われた際には、表示切替要求Ｄに基づいて次の表示処理を行う（図１３のＳ５，Ｓ６）。このことによっても、ユーザー操作に連動した適時な駆動を実現している。すなわち、操作ボタン１３１〜１３４等の連打操作に合わせた表示切替が可能となり、ユーザーが設定変更の様子を確認しつつ操作することが可能となる。
【００８７】
（７）操作ボタン１３１〜１３４を操作した際に限らず、毎正持（図１７）や、アラーム設定時刻と現在時刻とが一致した際（図１８）等、所定時または所定条件成立時に中間色駆動工程を開始し、その後、所定時または所定条件成立時に中間色駆動工程から飽和駆動工程に自動的に移行するので、表示切替短縮の効果を大きくできる。
【００８８】
（８）飽和状態とするのに必要な飽和駆動時間（図７の駆動期間Ｔ１）が１秒よりも長くても、中間色駆動工程（図８）における駆動期間Ｔ１は１秒以下に納まっており、つまり、中間色駆動を行うことによって初めて、秒表示を行うことが可能となる。
【００８９】
（９）操作ボタン１３１による操作間隔Ｍ１，Ｍ２，Ｍ３が飽和時間Ｔ１よりも短い場合に、ユーザーが表示書換を連続的に行いたいものと判断して中間色駆動工程Ｓ１２，Ｓ１３，Ｓ１４を行うので、操作ボタン１３１を連打する各タイミングにほぼ同期して表示書換を迅速に行うことができる。
【００９０】
〔第２実施形態〕
次に、本発明の第２実施形態を図２０〜図２４を参照して説明する。第１実施形態における表示パネル３０および制御回路基板４０は、セグメント駆動方式であったが、本実施形態における表示モジュール５は、アクティブマトリックスのＴＦＴ（Thin Film Transistor）ディスプレイとされている。
表示モジュール５は、電気泳動表示デバイスである表示パネル５０と図示しない駆動装置とを備えている。表示パネル５０は、共通電極が設けられた透明基板とＴＦＴ基板との間にマイクロカプセル３３０（図４）を含む電気泳動層が配置されて構成されており、詳しい構造の説明は省略する。ＴＦＴ基板には、マトリックス配置された画素電極が設けられている。そして、画像信号入力に応じたＴＦＴのスイッチングにより、画素電極と共通電極との間に電圧が印加される。
【００９１】
本実施形態の時計では、各種の時刻表示が可能であり、図２０のように数字によるディジタル時刻表示も、図２１のように時針５１および分針５２をディジタル表示で表した時刻表示も可能となっている。時針５１および分針５２が表示される際には、表示パネル５０の周縁部にインデックス５３が表示される。なお、図２０の表示モードと図２１の表示モードとを切替える際にはワイプ動作が行われ、例えば図２０から図２１に画面遷移する際には、図２０の時針５１、分針５２、および各インデックス５３の表示が順次消去され（ワイプアウト）、図２１の各文字が順次描画される（ワイプイン）。
図２２は、本実施形態の時計の各種機能の設定画面を示す。ここでは、ワールドタイムの都市が設定対象とされており、操作ボタン１３１，１３２の操作により、都市が変更される。具体的には、操作ボタン１３１の操作により、時差を加算した都市を選択することができ、操作ボタン１３２の操作により、時差を減算した都市を選択することができる。
ワールドタイム機能の都市以外の、その他の項目についても、同様の方法により、設定変更することができる。
【００９２】
図２３、図２４は、表示パネル５０の各画素における駆動例をそれぞれ示す。図２０、図２１における時刻表示や、図２２の設定変更の際の表示は、図２３に例示した飽和駆動工程、または図２４に例示した中間色駆動工程のいずれかにより、行われる。例えば、図２０、図２１のように現在時刻を表示するモードでは飽和駆動工程を実施し、図２０と図２１との表示を切替えるワイプ動作を行う際には、中間色駆動工程により、高速に表示を書換えて自然なワイプ動作を実現する。
また、図２２のように都市（地域）設定などを変更する際、操作ボタン１３１等を例えば２秒程度押し続けると、飽和駆動工程から中間色駆動工程に移行し、各都市が早送りで順次表示される。なお、操作ボタン１３１を離すと、飽和駆動に復帰する。
【００９３】
ここで、第１実施形態と同様に、飽和駆動時における共通電極の駆動パルスの半波長は０．２５秒であり、中間色駆動時における共通電極の駆動パルスの半波長は０．１２５秒であるが、ＴＦＴディスプレイの本実施形態ではドライバから各画素電極へのデータ転送時間を要するため、駆動期間（Ｔ１等）にこのデータ転送時間を加算した時間が１回の表示書換えに必要な時間となる。本実施形態では、データ転送時間は約０．２秒となっている。すなわち、図２４では駆動期間Ｔ１〜Ｔ３を連続的に示したが、実際は各駆動期間毎にデータ転送時間を要する。
ただし、駆動する事象に絞って考えれば、第１実施形態も本実施形態も駆動方法は同様である。よって、本実施形態によっても、第１実施形態と同様の効果を奏する。
【００９４】
〔第３実施形態〕
次に、本発明の第３実施形態を図２５〜図３０を参照して説明する。図２５に示すように本実施形態の時計は、リング状のバングル・ウォッチとされ、円環状のケース７１の外周部に沿って可撓性を有する表示パネル７０が設けられている。本実施形態における表示パネル７０は、第１実施形態と同様のセグメント駆動方式の電気泳動表示デバイスであり、その駆動方法も第１実施形態と同様であるが、本実施形態の時計は、略３６０°に亘る大画面とされた表示パネル７０にアニメーションを表示する機能などを有する。なお、表示パネル７０と、その駆動装置８０（図２６）とからなる表示モジュール７は、ケース７１とカバーガラス７２との間に収容されている。
【００９５】
図２６は、表示モジュール７を示す。表示パネル７０および駆動装置８０の構成は、第１実施形態の表示パネル３０および制御回路基板４０（図２）の構成と略同様であるため、説明を省略する。なお、ケース７１には操作ボタン７３，７４（図３０）が設けられ、これらの操作ボタン７３，７４による操作はそれぞれ各タッチセンサ８２７により検知可能とされている。
【００９６】
図２７は、表示パネル７０に設けられたセグメント電極３１０の殆ど全てを黒色で表示した状態を示す。表示パネル７０の周方向（図２７では長手方向）に沿って、時桁、十分桁、一分桁をそれぞれ示す数字や、タイムコードを示す文字等が分散して配置されている。
時刻表示を行う通常モードでは、現在時刻を示す時桁、十分桁、一分桁の各数字が背景色に応じて黒色または白色で強調表示され、その他の数字等は、中間色で装飾的に表示される。
【００９７】
本実施形態の時計は、毎正時にアニメーションを表示する機能を有する。毎正時の例えば１０秒前に、通常モードからアニメーション表示モードに切り替わり、この際、飽和駆動工程から中間色駆動工程に移行する。
このアニメーションは、図２８〜図２９に示した（Ａ）〜（Ｓ）の一連の画像から構成され、中間色駆動工程により、高速で表示書換えが行われる。これらの画像に示すように、時刻を示す数字や文字等の表示色が、適宜ずらしたタイミングで少なくとも１度は切替えられている。
このアニメーション表示に係る中間色駆動工程は、図８等と同様であるが、ＣＯＭパルスの半波長や、駆動期間等は適宜決められる。アニメーションは、正時に終了し、正時を示す１２時００分が飽和駆動により表示される（図２９（Ｓ））。
【００９８】
図３０は、ワールドタイム機能に係る都市設定修正モードの画面を示す。操作ボタン７４を押すことにより、時差が加算され、その時差を示す数字およびタイムゾーン（ここではフォネティックコードにより表される）が背景色の白色に対して黒色で強調表示される。また、操作ボタン７３を押すことにより、時差が減算され、その時差を示す数字およびタイムゾーンが黒色で強調表示される。図３０の例では、時差＋１を示す（Ａ）の状態から、操作ボタン７４の操作により、時差が加算され（Ｂ）、（Ｃ）の状態となる。ここで、操作ボタン７４を約２秒間長押しすることにより、飽和駆動から中間色駆動に移行し、選択される都市が連続して切り替わる。また、飽和状態となる前でも表示切替要求の発生により、次の表示処理が開始されるので、迅速に都市の選択を切り換えて都市修正を行うことができる。
以上の本実施形態によっても、第１実施形態と略同様の効果を奏する。
【００９９】
〔本発明の変形例〕
なお、本発明の構成は以上の各実施形態に限らず、本発明の要旨を逸脱しない範囲で種々の改変が可能である。
図３１は、操作ボタン１３１を連打した際の駆動制御の変形例を示す。本例では、第１実施形態の図１４と同様に、飽和駆動工程Ｓ７後の待機時間の後、操作ボタン１３１が断続的に４回連打されている。但し、本例では図１４の場合とは異なり、操作ボタン１３１の操作に中間色駆動工程の表示書換処理が同期していない。
【０１００】
本例では、操作検出部６１４（図５）により検出される操作ボタン１３１の操作回数が記憶部６１６（図５）に記憶される。そして、操作ボタン１３１による操作が飽和時間Ｔ１（例えば図７）よりも短い時間間隔Ｍ１で行われると、処理中の飽和駆動工程Ｓ１１の表示書換処理を中断した後、操作回数（ここでは４回）から１を引いた数、つまり３回、中間色駆動による表示書換処理（図８のＴ１やＴ２やＴ３の処理）が繰り返される。
つまり、中間色駆動工程Ｓ２２，Ｓ２３，Ｓ２４における表示書換処理は、操作ボタン１３１の操作によって中断されることなく、操作ボタン１３１の操作回数に基づく数だけ繰り返される。なお、連打の最後（４回目）に対応する表示書換処理（中間色駆動工程Ｓ２４）が終了すると、駆動制御部６１によって飽和駆動工程Ｓ１５が行われる。
記憶部６１６は、中間色駆動工程Ｓ２４の表示書換処理後に、操作回数をリセットする。
【０１０１】
本例の構成によれば、操作ボタン１３１を連打した回数だけ確実に表示書換を行うことができ、かつ、操作ボタン１３１を連打した際の表示状態の遷移をユーザーが確認することが可能となる。
【０１０２】
図３２は、操作ボタン１３１を連打した際の他の変形例を示す。第１実施形態では操作ボタン１３１を短い時間間隔で連打する際に中間色駆動工程Ｓ１２〜Ｓ１４により表示書換処理を行っていたが、図３１のように、連打の際の表示書換処理を飽和駆動工程Ｓ３２〜Ｓ３４により行ってもよい。
【０１０３】
図３３は、中間色駆動工程の例を示し、ここでは図８と比べて２倍の０．２５秒をパルス半波長とし、この半波長２回を１セットとして１回の表示書換を行っている。この場合でも、各駆動期間Ｔ１〜Ｔ３で確定した表示色の差により、表示を目視できるため、このような駆動方法も可能である。ただし、半波長が長いことから、視力の分解能により、表示が切り替わる様子が目立つことが考えられるため、パルス半波長は、粒子を移動させることができる限り、短い方がよい。
なお、前述した各例では、駆動パルスの幅は一定であり、また、Ｈ電位の印加時間とＬ電位の印加時間とは同じであったが、これに限らず、駆動条件や表示装置の特性などに応じて、パルス幅を変えたり、Ｈ電位の印加時間とＬ電位の印加時間とを異ならせてもよい。
【０１０４】
第２実施形態では、表示パネル５０（図２０）上に時針５１および分針５２が描画されていたが、このように時針５１および分針５２をディジタル表示で表現する代わりに、アナログ表示用の時針および分針等（指針）を表示パネルに設けて、これらの指針を駆動輪列により駆動することでアナログ表示による時刻表示を行うことも考えられる。この場合、指針によるアナログ時刻表示と、表示パネル上のディジタル表示とを組み合わせた表示が可能となる。なお、指針は、表示パネルを厚み方向に貫通する回転軸に設けられ、この回転軸に接続する駆動輪列は、表示パネルの裏側に配置されればよい。
【０１０５】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【０１０６】
【図１】本発明の第１実施形態における時計の外観図。
【図２】前記実施形態における表示モジュールの平面図。
【図３】図２のIII−III線断面図。
【図４】前記実施形態における表示パネルの電気泳動層を示す模式図。
【図５】前記実施形態における制御回路基板の電気的構成を示すブロック図。
【図６】前記実施形態における表示駆動部のブロック図。
【図７】前記実施形態における表示パネルの駆動波形の一例を示す図（飽和駆動工程）。
【図８】前記実施形態における表示パネルの駆動波形の一例を示す図（中間色駆動工程）。
【図９】時刻修正モード時の表示状態を示す図。
【図１０】時刻修正モード時の表示状態を示す図。
【図１１】時刻修正モード時の表示状態を示す図。
【図１２】時刻修正モード時の表示状態を示す図。
【図１３】時刻修正モード時の駆動工程の切り替わりを示す図（長押し）。
【図１４】時刻修正モード時の駆動工程の切り替わりを示す図（連打）。
【図１５】ダウンカウンタータイマー作動時の表示状態を示す図。
【図１６】前記実施形態における表示パネルの駆動波形の一例を示す図（中間色駆動工程）。
【図１７】毎正時報知時の表示状態を示す図。
【図１８】アラーム時刻報知時の表示状態を示す図。
【図１９】クロノグラフ作動時の表示状態を示す図。
【図２０】本発明の第２実施形態における時計の外観図（時刻表示モード）。
【図２１】前記時計の外観図（他の時刻表示モード）。
【図２２】前記時計における各種設定を行う画面を示す図。
【図２３】前記実施形態における表示パネルの駆動波形の一例を示す図（飽和駆動工程）。
【図２４】前記実施形態における表示パネルの駆動波形の一例を示す図（中間色駆動工程）。
【図２５】本発明の第３実施形態における時計の外観斜視図。
【図２６】前記実施形態における表示モジュールの平面図。
【図２７】前記実施形態における表示パネルの平面図。
【図２８】前記実施形態におけるアニメーションを示す図。
【図２９】前記実施形態におけるアニメーションを示す図。
【図３０】前記実施形態における都市修正モードの画面を示す図。
【図３１】本発明の変形例に係り、駆動工程の切り替わりを示す図。
【図３２】本発明の変形例に係り、駆動工程の切り替わりを示す図。
【図３３】本発明の変形例における表示パネルの駆動波形の一例を示す図（中間色駆動工程）。
【符号の説明】
【０１０７】
１・・・時計（電子機器）、３０，５０，７０・・・電気泳動表示パネル、３２・・・透明基板、３３・・・電気泳動層、４０・・・制御回路基板、６１・・・駆動制御部、６２・・・表示駆動部、７３，７４・・・操作ボタン（操作部材）、８０・・・駆動装置、１３１〜１３４・・・操作ボタン（操作部材）、３００・・・セグメント、３１０・・・セグメント電極、３２０・・・共通電極、３３０・・・マイクロカプセル、３３１Ａ・・・黒粒子、３３１Ｂ・・・白粒子、４２０・・・電源、６１４・・・操作検出部、６１６・・・記憶部（操作回数記憶部）、６２１・・・Ｌ電位生成部（第１電位生成部）、６２２・・・Ｈ電位生成部（第２電位生成部）、６２３・・・パルス生成部、６２５・・・飽和駆動部、６２６・・・中間色駆動部、６２７・・・表示切替要求発生部、４２６・・・ドライバＩＣ、Ｄ・・・表示切替要求、Ｓ１，Ｓ３，Ｓ４，Ｓ７，Ｓ１５・・・飽和駆動工程、Ｓ２，Ｓ５，Ｓ６，Ｓ１２〜Ｓ１４，Ｓ２２〜Ｓ２４・・・中間色駆動工程、Ｔ１〜Ｔ３・・・駆動期間。
【図２】
2008209893.tif 000003
【図３】
2008209893.tif 000004
【図４】
2008209893.tif 000005
【図５】
2008209893.tif 000006
【図６】
2008209893.tif 000007
【図７】
2008209893.tif 000008
【図８】
2008209893.tif 000009
【図１３】
2008209893.tif 000010
【図１４】
2008209893.tif 000011
【図１６】
2008209893.tif 000012
【図２０】
2008209893.tif 000013
【図２１】
2008209893.tif 000014
【図２２】
2008209893.tif 000015
【図２３】
2008209893.tif 000016
【図２４】
2008209893.tif 000017
【図２５】
2008209893.tif 000018
【図２６】
2008209893.tif 000019
【図３１】
2008209893.tif 000020
【図３２】
2008209893.tif 000021
【図３３】
2008209893.tif 000022
【図１】
2008209893.tif 000023
【図９】
2008209893.tif 000024
【図１０】
2008209893.tif 000025
【図１１】
2008209893.tif 000026
【図１２】
2008209893.tif 000027
【図１５】
2008209893.tif 000028
【図１７】
2008209893.tif 000029
【図１８】
2008209893.tif 000030
【図１９】
2008209893.tif 000031
【図２７】
2008209893.tif 000032
【図２８】
2008209893.tif 000033
【図２９】
2008209893.tif 000034
【図３０】
2008209893.tif 000035